【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
長さと幅とを有する概して長方形のプレートであり、第１の縁と第２の縁とそし
て面とを有する第１のフランジ本体；
第１のフランジの長さに沿って走行する第１のフランジ本体の面からの延長体であるドロップノーズであり、第１のフランジ本体の厚さが、ドロップノーズと並ぶ第１のフランジ本体の領域でドロップノーズと並んでいない第１のフランジ本体の領域よりも高くなるように第１のフランジ本体と一体に形成されているドロップノーズ；
第１のフランジ本体の第１の縁に配置され、そしてそれと一体に形成されている第１のキングパイル連結体；および
第１のフランジ本体の２の縁に配置され、そしてそれと一体に形成されている第２のキングパイル連結体；
を有する第１のフランジ、
面を有する概して長方形のプレートである第２のフランジ本体を有する第２のフランジ、および
第１のフランジ本体のドロップノーズおよび第２のフランジ本体の面に結合された概して長方形のプレートであるウェブ、
を含んでなる複合壁システムのためのキングパイル。
【請求項２】
前記ウェブは、第１のフランジ本体の面と、そして第２のフランジ本体の面とに溶接により結合されている、請求項１のキングパイル。
【請求項３】
前記ウェブは、溶接により前記ドロップノーズに結合されている、請求項１のキングパイル。
【請求項４】
第１のフランジは、第１および第２のキングパイル連結体が熱間圧延操作中に第１のフランジ本体と一体に形成されるように、第１のフランジ本体を熱間圧延する工程により形成される、請求項１のキングパイル。
【請求項５】
第１および第２のキングパイル連結体は、雄雌ラーセン連結体である、請求項１のキングパイル。
【請求項６】
第２のフランジがさらに：
第２のフランジの長さに沿って走行する第２のフランジ本体の面からの延長体であり、第２のフランジ本体と一体に形成されている第２のドロプノーズ；
第２のフランジ本体の第１の縁に配置され、そしてそれと一体に形成されている第３のキングパイル連結体；および
第２のフランジ本体の第２の縁に配置され、そしてそれと一体に形成されている第４のキングパイル連結体；
を含んでなる、請求項１のキングパイル。
【請求項７】
長さと幅とを有する概して長方形のプレートであり、第１の縁と、第２の縁と、そして面とを有する第１のフランジ本体を形成する工程；
第１のフランジ本体の第１の縁に配置されている第１のキングパイル連結体を形成する工程；および
第１のフランジ本体の第２の縁に配置されている第２のキングパイル連結体を形成する工程；
第１のフランジの長さに沿って走行する第１のフランジ本体の面からの延長体であるドロップノーズを形成する工程；
を含んでなり、
第１のフランジは、第１のキングパイル連結体、および第２のキングパイル連結体およびドロップノーズが、第１のフランジ本体がドロップノーズと並ぶ領域で第１のフランジ本体の厚さが、ドロップノーズと並んでいない第１フランジ本体の領域よりも高くなるように第１のフランジ本体と一体に形成されている、第１のフランジを形成する工程、
面を有する概して長方形のプレートである第２のフランジ本体を有する第２のフランジを提供する工程、
概して長方形のプレートであるウェブを提供する工程、
第１のフランジ本体のドロップノーズに前記ウェブを結合する工程、および
第２のフランジ本体の面に前記ウェブを結合する工程、
を含んでなるキングパイルを形成する方法。
【請求項８】
第１のフランジ本体の面に前記ウェブを結合する工程は、第１のフランジ本体の面に前記ウェブを溶接する工程を含んでなり、そして第２のフランジ本体の面に前記ウェブを結合する工程は、第２のフランジ本体の面に前記ウェブを溶接する工程を含んでなる、請求項７の方法。
【請求項９】
前記ドロップノーズに前記ウェブを結合する工程は、前記ドロップノーズに前記ウェブを溶接する工程を含んでなる、請求項７の方法。
【請求項１０】
第１のフランジを形成する工程は、第１および第２のキングパイル連結体が、前記熱間圧延操作中に第１のフランジ本体と一体に形成されるような熱間圧延工程を含んでなる、請求項７の方法。
【請求項１１】
第１および第２のキングパイル連結体は、雄雌ラーセン連結体である、請求項７の方法。
【請求項１２】
第２のフランジを提供する工程がさらに：
第２のフランジ本体を形成する工程；
第２のフランジ本体の第１の縁に配置される第３のキングパイル連結体を形成する工程；
第２のフランジ本体の第２の縁に配置される第４のキングパイル連結体を形成する工程；
第２のフランジの長さに沿って走行する第２のフランジ本体の面からの延長体である第２のドロップノーズを形成する工程；
を含んでなり、
第２のフランジは、第１のキングパイル連結体、第２のキングパイル連結体およびドロップノーズが、第２のフランジ本体と一体に形成されるように形成され、そして
第２のフランジ本体の面に前記ウェブを結合する工程が、第２のフランジの第２のドロップノーズに前記ウェブを結合する工程を含んでなる、請求項７の方法。
【請求項１３】
長さと幅とを有する概して長方形のプレートであり、第１の縁と第２の縁とそして面とを有する第１のフランジ本体；
第１のフランジの長さに沿って走行する第１のフランジ本体の面からの延長体であるドロップノーズであり、第１のフランジ本体の厚さが、ドロップノーズと並ぶ第１のフランジ本体の領域でドロップノーズと並んでいない第１のフランジ本体の領域よりも高くなるように第１のフランジ本体と一体に形成されているドロップノーズ；
第１のフランジ本体の第１の縁に配置され、そしてそれと一体に形成されている第１のキングパイル連結体；および
第１のフランジ本体の２の縁に配置され、そしてそれと一体に形成されている第２のキングパイル連結体；
を有する第１のフランジ：
面を有する概して長方形のプレートである第２のフランジ本体を有する第２のフランジ：および
第１のフランジ本体のドロップノーズおよび第２のフランジ本体の面とに結合された概して長方形のプレートであるウェブ：
を含むキングパイル、および
第1のキングパイル連結体に結合された連結体コネクターを含む矢板、
を含んでなる複合壁システム。
【請求項１４】
前記ウェブは、第１のフランジ本体の面と、そして第２のフランジ本体の面とに溶接により結合されている、請求項１３の複合壁システム。
【請求項１５】
前記ウェブは、溶接により前記ドロップノーズに結合されている、請求項１３の複合壁システム。
【請求項１６】
第１のフランジは、第１および第２のキングパイル連結体が、前記熱間圧延操作中に第１のフランジ本体と一体に形成されるように、第１のフランジ本体を熱間圧延する工程により形成される、請求項１３の複合壁システム。
【請求項１７】
第１のキングパイル連結体と前記連結体コネクターとは、雄雌ラーセン連結体である、請求項１３の複合壁システム。
【請求項１８】
第２のフランジがさらに：
第２のフランジの長さに沿って走行する第２のフランジ本体の面からの延長体であり、第２のフランジ本体と一体に形成されている第２のドロプノーズ；
第２のフランジ本体の第１の縁に配置され、そしてそれと一体に形成されている第３のキングパイル連結体；および
第２のフランジ本体の第２の縁に配置され、そしてそれと一体に形成されている第４のキングパイル連結体；
を含んでなる、請求項１３の複合壁システム。
【請求項１９】
長さと幅とを有する概して長方形のプレートである第３のフランジ本体；
第３のフランジの長さに沿って走行する第３のフランジ本体の面からの延長体であり、第３のフランジ本体と一体に形成されている第３のドロップノーズ；
第３のフランジ本体の第１の縁に配置され、そしてそれと一体に形成されている第５のキングパイル連結体；および
第３のフランジ本体の２の縁に配置され、そしてそれと一体に形成されている第６のキングパイル連結体；
を有する第３のフランジ：
長さと幅とを有する概して長方形のプレートである第４のフランジ本体；
第４のフランジの長さに沿って走行する第４のフランジ本体の面からの延長体であり、第４のフランジ本体と一体に形成されている第４のドロップノーズ；
第４のフランジ本体の第１の縁に配置され、そしてそれと一体に形成されている第７のキングパイル連結体；および
第４のフランジ本体の２の縁に配置され、そしてそれと一体に形成されている第８のキングパイル連結体；
を有する第４のフランジ：および
第３のフランジ本体の第３のドロップノーズおよび第４のフランジ本体の第４のドロップノーズに結合された概して長方形のプレートである第２のウェブ：
を含む第２のキングパイルをさらに含んでなり、第２のキングパイル連結体が第５のキングパイル連結体に結合され、そして第４のキングパイル連結体が第７のキングパイル連結体に結合されている、請求項１８の複合壁システム。